(57)【要約】      （修正有）【課題】患者が医療機構内での待ち時間を節減可能な診療予約システムを提供する。【解決手段】診療予約システムは、メモリ１１、ＣＰＵ１２、および入出力装置を有し情報を記憶すると共に情報を通信可能なセントラルサーバ１０を含む情報通信装置３０と、セントラルサーバ１０に有線または無線の方式をもって接続され、医療機構の医療情報をセントラルサーバ１０に送信する医療機構電子装置２０と、セントラルサーバ１０に接続され、セントラルサーバ１０から医療情報を受信する患者情報装置５０と、を備える。セントラルサーバ１０には、医療情報と患者情報とが記憶され、ソフトウェアが保存される。医療情報は、そのとき診察されている患者に対応する診察番号を含む。これにより、患者は、診察開始時刻を推定することができ、診察開始時刻まで医療機構内で待つ必要がない。【選択図】図１Ａ
0003167857.tif 000002
【実用新案登録請求の範囲】
【請求項１】
メモリ、ＣＰＵ、および入出力装置を有し情報を記憶すると共に情報を通信可能なセントラルサーバを含む情報通信装置と、
前記セントラルサーバに有線または無線の方式をもって接続され、医療機構の医療情報を前記セントラルサーバに送信する少なくとも一つの医療機構電子装置と、
前記セントラルサーバに接続され、前記セントラルサーバから前記医療情報を受信する少なくとも一つの患者情報装置と、
を備える診療予約システムであって、
前記セントラルサーバには、前記医療情報と、前記患者情報とが記憶され、ソフトウェアが保存され、
前記医療情報は、そのとき診察されている患者に対応する診察番号を含むことを特徴とする診療予約システム。
【請求項２】
前記患者情報装置は、前記情報通信装置から前記診察番号を受信し、診察開始時刻を予測することを特徴とする請求項１に記載の診療予約システム。
【請求項３】
前記情報通信装置は、予測診察速度を受信することを特徴とする請求項１に記載の診療予約システム。
【請求項４】
前記医療機構電子装置は、前記セントラルサーバから前記ソフトウェアをダウンロードし、または情報送信規則によって前記セントラルサーバへ情報をアップロードすることを特徴とする請求項１に記載の診療予約システム。
【請求項５】
前記医療機構電子装置は、診察番号表示装置に接続されることを特徴とする請求項１に記載の診療予約システム。
【請求項６】
前記情報通信装置は、特定患者に関連する特定情報を前記特定患者に告知する専用告知システムを有することを特徴とする請求項１に記載の診療予約システム。
【請求項７】
前記患者情報装置は、前記専用告知システムに接続され、前記特定情報を受信することを特徴とする請求項６に記載の診療予約システム。
【請求項８】
前記患者情報装置は、携帯電話、ＰＤＡ、ノートブックコンピュータ、卓上型コンピュータ、インタネットテレビ、情報を受信及び表示することが可能な電子装置のいずれかであることを特徴とする請求項１に記載の診療予約システム。
【請求項９】
前記専用告知システムは、前記情報通信装置から前記特定患者が必要とする診察情報を受信することを特徴とする請求項７に記載の診療予約システム。
【請求項１０】
広告情報を前記情報通信装置に送信する少なくとも一つの広告提供システムを備え、
前記広告情報は、前記情報通信装置から前記患者情報装置に送信されることを特徴とする請求項１に記載の診療予約システム。
【請求項１１】
前記情報通信装置は、番号案内ユニットを備え、
番号案内機は、伝送ファームウェアが内設され、インタネットを経由して前記情報通信装置に接続され、前記番号案内ユニットに前記診察番号の情報を送信することを特徴とする請求項１に記載の診療予約システム。
【請求項１２】
前記情報通信装置は、前記医療機構が指定した情報を表示する表示ユニットを有することを特徴とする請求項１に記載の診療予約システム。
【考案の詳細な説明】
【技術分野】
【０００１】
本考案は診療予約システムに関する。
【背景技術】
【０００２】
現在、多くの医療機構での予約人数はますます多くなり、患者はインタネット機能を具える電子製品を通じてインタネットと接続し、予約手続きを行って自分の診察番号を知る。しかしながら、すでに予約して受診したい患者は、自分の診察番号しか分からなく、その時点ですでに何番まで診察したかは分からないので、自分が医療機構へ行くことを選択し、医療機構で診察開始時刻まで待つ。従って、患者は、自分の時間を無駄にするだけでなく、多くの患者が集まる医療機構内の空気を悪くし、飛沫感染によって他の患者に感染させるおそれがある。
【０００３】
また、多くの患者は、医療機構が公示した重要事項、例えば医師の休暇、休診、診察室の変更、医療機構が全面消毒を行う等の内容を直ちに知ることができず、無駄足を踏む。更に進んで医療機構のイメージが損なってしまう。
【考案の概要】
【考案が解決しようとする課題】
【０００４】
上記により、本考案は、患者が医療機構内での待ち時間を節減することを可能にする診療予約システムを提供することを課題とする。
【課題を解決するための手段】
【０００５】
上記課題を解決するため、本考案による診療予約システムは、メモリ、ＣＰＵ、および入出力装置を有し情報を記憶すると共に情報を通信可能なセントラルサーバを含む情報通信装置と、セントラルサーバに有線または無線の方式をもって接続され、医療機構の医療情報をセントラルサーバに送信する医療機構電子装置と、セントラルサーバに接続され、セントラルサーバから医療情報を受信する患者情報装置と、を備える。
【０００６】
セントラルサーバには、医療情報と患者情報とが記憶され、ソフトウェアが保存される。医療情報は、そのとき診察されている患者に対応する診察番号を含む。
これにより、本考案による診療予約システムを通じて、患者は、診察開始時刻を推定することができる。更に広告会社と連結することによって、患者が調査を行っているとき、結果が現われる画面に於いて、契約した広告会社の広告内容は、ランダム方式によって表示される。
【図面の簡単な説明】
【０００７】
【図１Ａ】本考案の一実施形態による診療予約システムの外観図である。
【図１Ｂ】本考案の一実施形態による診療予約システムのブロック図である。
【図２】本考案の一実施形態による診療予約システムのフローチャートである。
【図３】本考案の一実施形態による診療予約システムの他のフローチャートである。
【図４】本考案の他の実施形態による診療予約システムの番号案内機をインタネットを介して情報通信装置に接続することを示す図である。
【考案を実施するための形態】
【０００８】
（一実施形態）
図１Ａ、図１Ｂ及び図２を参照ください。本考案による診療予約システム１は、セントラルサーバ１０を含む情報通信装置３０と、セントラルサーバ１０に有線または無線の方式をもって接続され、医療機構の医療情報をセントラルサーバ１０に送信する医療機構電子装置２０と、セントラルサーバ１０に接続され、セントラルサーバ１０から医療情報を受信する患者情報装置５０とを備える。セントラルサーバ１０は、メモリ１１、ＣＰＵ１２及び入出力装置を有し、情報を記憶すると共に情報を通信可能である。セントラルサーバ１０には、関連操作ソフトウェアが保存され、医療機構、患者情報、及び広告提供メーカの関連情報が記憶されてある。
【０００９】
医療機構は、患者に診療を提供する機構であり、例えば診療所、病院である。医療機構電子装置２０は、セントラルサーバ１０と互いに接続され、例えばインタネットを通じて有線または無線の方式で接続される。医療機構電子装置２０は、インタネットを通じて医療情報をセントラルサーバ１０に送信する。医療情報は、主にそのとき診察されている患者に対応する診察番号であり、更に予想診察速度、医療機構の関連情報、例えば予想診察開始時刻、診察する医者の仕事時刻等の情報を含む。
【００１０】
医療機構電子装置２０は、セントラルサーバ１０から診療予約システム１の操作に必要なソフトウェアをダウンロードし、または其の他方式をもってソフトウェアをダウンロードし、または本考案に定められたクラウドの情報送信規則によって情報をセントラルサーバ１０へアップロードする。医療機構の職員は、即時に現時点の診察番号を入力する。現在一般の医療機構はすでに診察番号の表示装置を備えているので、現有の診察番号表示装置と接続してもよい。
【００１１】
本実施形態による診療予約システム１は、更に専用告知システムを含む。専用告知システムは、医療情報を診察待ちの特定患者に告知する。この場合、医療機構は、診察番号に対応する特定患者の連絡先、例えば携帯電話の番号をセントラルサーバ１０に送信する。
【００１２】
情報通信装置３０は、セントラルサーバ１０を含み、医療機構電子装置２０と接続され、医療機構電子装置２０からその時点診察されている患者に対応する診察番号、予測診察速度、医療機構の関連情報を受信し、患者情報装置５０に送信する。
【００１３】
図３に示すように、専用告知システムは、特別提示方式をもってその時点診察されている患者に対応する診察番号および予想診察開始時刻を後続診察番号に対応する特定患者に告知する。或いはインタネットに於いて特別提示方式をもって表示し、または自動接続方式の電話で特定患者に通知する。
【００１４】
専用告知システムは、情報通信装置３０から特定患者が必要とする診察情報を得ることができる。例えば、特定電話番号に電話をかけると直ちに診察番号及び関連情報が得られ、または、情報通信装置３０に於いて特定の図形をクリックすると直ちに診察番号及び関連情報が得られる。
【００１５】
（他の実施形態）
情報通信装置３０は、更に番号案内ユニット３１を含む。図４に示すように、自己定め情報規格及び情報伝送規格によって伝送ファームウェアを番号案内機に内設する。これにより、番号案内機は、インタネットを経由して情報通信装置３０に連結され、関連の情報を情報通信装置３０の番号案内ユニット３１に送信することができる。本実施形態において、番号案内機のメーカと協力し、医療機構の職員が入力する困りごとを減少することができる。
【００１６】
情報通信装置３０は、更に表示ユニット３２を含む。表示ユニット３２は、医療機構が指定した情報を自動的にディスプレーに表示することができる。例えば、医療機構は現在診察されている診察番号をディスプレーに表示するが、それは一般診療室外の番号表示ユニットと同じである。本実施形態において、ディスプレーを一般のコンピュータのディスプレーにしてもよい。
【００１７】
患者情報装置５０は、情報通信装置３０と接続され、情報通信装置３０からのその時点診察されている患者に対応する診察番号、予測診察速度、及び医療機構の関連情報を受信する。患者情報装置５０は、例えば携帯電話、ＰＤＡ、ノートブックコンピュータ、卓上型コンピュータ、インタネットテレビ、または情報を受信及び表示することができる電子装置である。
【００１８】
患者情報装置５０は、専用告知システムからの特別情報を受信することができる。これにより、患者は、適当な時間に医療機構で受診することができ、診察待ちに生じる時間の無駄を避けることができる。本実施形態においては、音声等によって患者に知らせることもできる。
【００１９】
広告提供システム４０は、広告会社の広告情報を情報通信装置３０へ送信し、情報通信装置３０は、広告情報を患者情報装置５０の情報中に注入して送信する。これにより、患者は、診察情報と広告情報とを受信することができる。または図２に示すように、専用告知システムは、現在の診察番号と広告情報とを患者に告知する。
【００２０】
本実施形態において、オンライン機能と情報通信機能を有し表示が可能な電子装置である患者情報装置５０を通じ、現時点の診察番号を知ることができ、患者の診察開始時刻を予測することができる。これにより、患者は、診察開始時刻まで医療機構内で待つ必要がない。このほか、広告提供システム４０は、情報通信装置３０を通じて広告情報を患者情報装置５０の情報に付随して伝送することができる。
【００２１】
以上、本発明はこのような実施形態に限定されるものではなく、発明の趣旨を逸脱しない範囲において、種々の形態で実施することができる。
【符号の説明】
【００２２】
１      ・・・診療予約システム
１０    ・・・セントラルサーバ
１１    ・・・メモリ
１２    ・・・ＣＰＵ
２０    ・・・医療機構電子装置
３０    ・・・情報通信装置
３１    ・・・番号案内ユニット
３２    ・・・表示ユニット
４０    ・・・広告提供システム
５０    ・・・患者情報装置
【図１Ａ】
0003167857.tif 000003
【図１Ｂ】
0003167857.tif 000004
【図２】
0003167857.tif 000005
【図３】
0003167857.tif 000006
【図４】
0003167857.tif 000007